(57)【要約】【課題】無駄な発呼を抑制できる通信システム、通信端末、基地局及び通信制御方法を提供する。【解決手段】本発明に係る通信システム１００は、通信端末１０１−１と、基地局１０３−１と、基地局間を接続するネットワーク１０５とで構成される通信システム１００において、通信端末１０１−１は、自端末が記憶する他の通信端末１０１−２及び１０１−４に関する第１データを基地局１０３−１に送信し、基地局１０３−１は、ネットワーク１０５における通信異常の発生を検出すると、第１データと、自局に位置登録を行っている他の通信端末１０１−２及び１０１−３に関する第２データとに共通する共通データを通信端末１０１−１に送信し、通信端末１０１−１は、共通データに関する他の通信端末１０１−２への発信処理のみを可能にする。【選択図】図１
2014003495.tif 000002
【特許請求の範囲】
【請求項１】
通信端末と、基地局と、基地局間を接続するネットワークとで構成される通信システムにおいて、
前記通信端末は、自端末が記憶する他の通信端末に関する第１データを前記基地局に送信し、
前記基地局は、前記ネットワークにおける通信異常の発生を検出すると、前記第１データと、自局に位置登録を行っている他の通信端末に関する第２データとに共通する共通データを前記通信端末に送信し、
前記通信端末は、前記共通データに関する他の通信端末への発信処理のみを可能にする
通信システム。
【請求項２】
請求項１に記載の通信システムにおいて、
前記基地局は、前記通信異常の発生を示す情報を前記通信端末に送信し、
前記通信端末は、当該情報を受信した場合にのみ、前記第１データを前記基地局に送信する
ことを特徴とする通信システム。
【請求項３】
請求項１又は２に記載の通信システムにおいて、
前記通信端末は、位置登録要求を前記基地局に送信し、
前記基地局は、前記位置登録要求の応答前に前記通信異常の発生を検出していると、前記応答に前記通信異常の発生を示す情報を含めて前記通信端末に送信する
ことを特徴とする通信システム。
【請求項４】
請求項１乃至３のいずれか一項に記載の通信システムにおいて、
前記通信端末は、前記通信異常の発生を示す情報を前記基地局から受信すると、前記通信異常の発生を自端末のユーザに通知する
ことを特徴とする通信システム。
【請求項５】
請求項４に記載の通信システムにおいて、
前記通信端末は、表示部を備え、
前記通信端末は、前記通信異常の発生を示す情報を前記表示部に表示することによって、前記通信異常の発生を前記ユーザに通知する
ことを特徴とする通信システム。
【請求項６】
請求項１乃至５のいずれか一項に記載の通信システムにおいて、
前記基地局は、前記通信異常の発生を示す情報を前記通信端末に送信する場合、当該情報に、前記通信異常の影響を受けずに通信可能な番号体系を含める
ことを特徴とする通信システム。
【請求項７】
通信端末と、基地局と、基地局間を接続するネットワークとで構成される通信システムの通信端末において、
自端末が記憶する他の通信端末に関する第１データを前記基地局に送信し、
前記基地局が前記ネットワークにおける通信異常の発生を検出した際に送信する、前記第１データと、当該基地局に位置登録を行っている他の通信端末に関する第２データとに共通する共通データを受信すると、当該共通データに関する他の通信端末への発信処理のみを可能にする
通信端末。
【請求項８】
通信端末と、基地局と、基地局間を接続するネットワークとで構成される通信システムの基地局において、
前記ネットワークにおける通信異常の発生を検出すると、通信端末から受信した当該通信端末が記憶する他の通信端末に関する第１データと、自局に位置登録を行っている他の通信端末に関する第２データとに共通する共通データを前記通信端末に送信し、
前記通信端末に、前記共通データに関する他の通信端末への発信処理のみを可能にさせる
基地局。
【請求項９】
通信端末と、基地局と、基地局間を接続するネットワークとで構成される通信システムにおける通信制御方法において、
前記通信端末が、自端末が記憶する他の通信端末に関する第１データを前記基地局に送信するステップと、
前記基地局が、前記ネットワークにおける通信異常の発生を検出すると、前記第１データと、自局に位置登録を行っている他の通信端末に関する第２データとに共通する共通データを前記通信端末に送信するステップと、
前記通信端末が、前記共通データに関する他の通信端末への発信処理のみを可能にするステップと
を含む通信制御方法。
【発明の詳細な説明】
【技術分野】
【０００１】
本発明は、通信システム、通信端末、基地局及び通信制御方法に関するものである。
【背景技術】
【０００２】
従来、携帯電話端末等の移動可能な通信端末において、ユーザの利便性を向上させる種々の技術が提案されている（例えば、特許文献１参照）。特許文献１に記載の通信端末は、電話帳に登録された通信相手の通信サービス（携帯、ショートメッセージ等）に関する状態を表す情報（「利用可／不可」等）を外部から取得する。そして、通信端末は、取得した情報を、電話帳内の通信相手のデータに対応付けてディスプレイに表示する。これにより、通信端末のユーザは、通信相手がどの通信サービスであれば現在連絡をとることができるかを、通信接続の開始前に把握することができる。
【先行技術文献】
【特許文献】
【０００３】
【特許文献１】特開２０００−２８６９５０号公報
【発明の概要】
【発明が解決しようとする課題】
【０００４】
しかし、「利用不可」という情報は、通信ネットワークにおける通信異常（障害）の発生といった技術的な理由で利用できないことを意味するものではない。この情報が付された通信サービスは、通信相手が置かれている状況（外出中、勤務中、運転中等）によって、通信相手が利用できない通信サービスを単に意味するものである。
【０００５】
そのため、たとえ通信相手が携帯電話を利用できる状況にあっても、発呼者の通信端末から発呼先の通信相手までの通信ネットワークにおいて通信異常が発生していると、通信相手との通信接続は確立され得ない。そのため、発呼者は、通信相手の携帯電話に発信しても、通信相手と通信できないことになる。よって、発呼者が通信相手の状況を把握できても、通信異常発生時には、無駄な発呼（発信処理）が発生してしまうことがある。
【０００６】
従って、上記のような問題点に鑑みてなされた本発明の目的は、無駄な発呼を抑制できる通信システム、通信端末、基地局及び通信制御方法を提供することにある。
【課題を解決するための手段】
【０００７】
上述した諸課題を解決すべく、第１の観点に係る通信システムの発明は、
通信端末と、基地局と、基地局間を接続するネットワークとで構成される通信システムにおいて、
前記通信端末は、自端末が記憶する他の通信端末に関する第１データを前記基地局に送信し、
前記基地局は、前記ネットワークにおける通信異常の発生を検出すると、前記第１データと、自局に位置登録を行っている他の通信端末に関する第２データとに共通する共通データを前記通信端末に送信し、
前記通信端末は、前記共通データに関する他の通信端末への発信処理のみを可能にする
通信システムである。
【０００８】
また、第２の観点に係る発明は、第１の観点に係る通信システムにおいて、
前記基地局は、前記通信異常の発生を示す情報を前記通信端末に送信し、
前記通信端末は、当該情報を受信した場合にのみ、前記第１データを前記基地局に送信する
ことを特徴とするものである。
【０００９】
また、第３の観点に係る発明は、第１又は第２の観点に係る通信システムにおいて、
前記通信端末は、位置登録要求を前記基地局に送信し、
前記基地局は、前記位置登録要求の応答前に前記通信異常の発生を検出していると、前記応答に前記通信異常の発生を示す情報を含めて前記通信端末に送信する
ことを特徴とするものである。
【００１０】
また、第４の観点に係る発明は、第１乃至第３のいずれか１つの観点に係る通信システムにおいて、前記通信端末は、前記通信異常の発生を示す情報を前記基地局から受信すると、前記通信異常の発生を自端末のユーザに通知することを特徴とするものである。
【００１１】
また、第５の観点に係る発明は、第４の観点に係る通信システムにおいて、
前記通信端末は、表示部を備え、
前記通信端末は、前記通信異常の発生を示す情報を前記表示部に表示することによって、前記通信異常の発生を前記ユーザに通知する
ことを特徴とするものである。
【００１２】
また、第６の観点に係る発明は、第１乃至第５のいずれか１つの観点に係る通信システムにおいて、前記基地局は、前記通信異常の発生を示す情報を前記通信端末に送信する場合、当該情報に、前記通信異常の影響を受けずに通信可能な番号体系を含めることを特徴とするものである。
【００１３】
また、第７の観点に係る通信端末の発明は、
通信端末と、基地局と、基地局間を接続するネットワークとで構成される通信システムの通信端末において、
自端末が記憶する他の通信端末に関する第１データを前記基地局に送信し、
前記基地局が前記ネットワークにおける通信異常の発生を検出した際に送信する、前記第１データと、当該基地局に位置登録を行っている他の通信端末に関する第２データとに共通する共通データを受信すると、当該共通データに関する他の通信端末への発信処理のみを可能にする
通信端末である。
【００１４】
また、第８の観点に係る基地局の発明は、
通信端末と、基地局と、基地局間を接続するネットワークとで構成される通信システムの基地局において、
前記ネットワークにおける通信異常の発生を検出すると、通信端末から受信した当該通信端末が記憶する他の通信端末に関する第１データと、自局に位置登録を行っている他の通信端末に関する第２データとに共通する共通データを前記通信端末に送信し、
前記通信端末に、前記共通データに関する他の通信端末への発信処理のみを可能にさせる
基地局である。
【００１５】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１６】
例えば、本発明を方法として実現させた第９の観点に係る通信制御方法は、
通信端末と、基地局と、基地局間を接続するネットワークとで構成される通信システムにおける通信制御方法において、
前記通信端末が、自端末が記憶する他の通信端末に関する第１データを前記基地局に送信するステップと、
前記基地局が、前記ネットワークにおける通信異常の発生を検出すると、前記第１データと、自局に位置登録を行っている他の通信端末に関する第２データとに共通する共通データを前記通信端末に送信するステップと、
前記通信端末が、前記共通データに関する他の通信端末への発信処理のみを可能にするステップと
を含む通信制御方法である。
【発明の効果】
【００１７】
上記のように構成された本発明に係る通信システム、通信端末、基地局及び通信制御方法によれば、無駄な発呼を抑制できる。
【図面の簡単な説明】
【００１８】
【図１】図１は、本発明の一実施形態に係る概略的な通信システム構成図である。
【図２】図２は、本発明の一実施形態に係る通信端末の概略構成を示す機能ブロック図である。
【図３】図３は、本発明の一実施形態に係る基地局の概略構成を示す機能ブロック図である。
【図４】図４は、本発明の一実施形態に係る通信端末と基地局との間の信号のやりとりを示すシーケンス図である。
【発明を実施するための形態】
【００１９】
図１は、本発明の一実施形態に係る概略的な通信システム構成図である。通信システム１００は、通信端末１０１（１０１−１、１０１−２、１０１−３、１０１−４）と、基地局１０３（１０３−１、１０３−２）と、ネットワーク１０５とから構成されている。通信端末１０１は、携帯電話端末やＰＨＳ（Personal Handy-phone System）端末等の移動通信端末、又はパーソナルコンピュータ等である。基地局１０３は、通信端末１０１と無線通信するものであり、ＬＴＥ（Long Term Evolution）、ＣＤＭＡ（Code Division Multiple Access）、ＷｉＭＡＸ（Worldwide Interoperability for Microwave Access）、ＰＤＣ（Personal Digital Cellular）、ＰＨＳ等の通信サービスのうちいずれか１つの通信サービスに対応する基地局、又は複数の通信サービスに対応する基地局である。ネットワーク１０５は、基地局間を接続する通信回線網である。
【００２０】
図２は、本発明の一実施形態に係る通信端末の概略構成を示す機能ブロック図である。本実施形態の通信端末１０１は、通信端末通信部１１１と、通信端末ベースバンド部１１３と、通信端末記憶部１１５と、表示部１１６と、通信端末制御部１１７とを備えている。通信端末通信部１１１と、通信端末ベースバンド部１１３と、通信端末記憶部１１５と、表示部１１６とは、通信端末制御部１１７に接続されている。
【００２１】
通信端末通信部１１１は、アンテナを介して基地局１０３と、データ（信号）を送受信するものである。通信端末通信部１１１は、受信した信号（受信信号）に対して低雑音での増幅及びダウンコンバート等を行い、当該信号を通信端末ベースバンド部１１３に送る。また、通信端末通信部１１１は、通信端末ベースバンド部１１３からの信号に対しアップコンバート及び増幅等を行い、送信信号を生成する。そして、通信端末通信部１１１は、アンテナを介して当該送信信号を基地局１０３に送信する。
【００２２】
通信端末ベースバンド部１１３は、通信端末通信部１１１からの受信信号に対してＡＤ変換や高速フーリエ変換などを行うことにより、受信信号を復調し、ベースバンド信号を取り出す。そして、通信端末ベースバンド部１１３は、ベースバンド信号を通信端末制御部１１７に送る。また、通信端末ベースバンド部１１３は、通信端末制御部１１７からのベースバンド信号に対して、逆高速フーリエ変換やＤＡ変換などを行い、ベースバンド信号を変調する。そして、通信端末ベースバンド部１１３は、変調されたベースバンド信号を通信端末通信部１１１に送る。
【００２３】
通信端末記憶部１１５は、発呼先になり得る他の通信端末に関するデータ（第１データ）等の各種情報を記憶するものであり、ワークメモリ等としても機能する。他の通信端末に関するデータとは、例えば、電話帳、発信履歴、着信履歴等の電話番号に関するデータである。なお、電話番号に関するデータとは、電話番号そのものに限定されるものではなく、電話番号に対応付けられ、電話番号を一意に特定できる識別タグのようなものでもよい。
【００２４】
表示部１１６は、通信端末通信部１１１により受信されたデータや通信端末記憶部１１５により記憶されているデータ等を表示するもので、例えば、液晶表示パネルや有機ＥＬ表示パネル等を用いて構成される。
【００２５】
通信端末制御部１１７は、通信端末１０１の各機能ブロックをはじめとして通信端末１０１の全体を制御及び管理している。通信端末制御部１１７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。通信端末制御部１１７が行う処理については、後述の図４の説明にて詳述する。
【００２６】
図３は、本発明の一実施形態に係る基地局の概略構成を示す機能ブロック図である。本実施形態の基地局１０３は、基地局通信部１２１と、基地局ベースバンド部１２３と、基地局記憶部１２５と、基地局制御部１２７とを備えている。基地局通信部１２１と、基地局ベースバンド部１２３と、基地局記憶部１２５とは、基地局制御部１２７に接続されている。
【００２７】
基地局通信部１２１は、アンテナを介して通信端末１０１と、データ（信号）を送受信するものである。基地局通信部１２１は、受信した信号（受信信号）に対して低雑音での増幅及びダウンコンバート等を行い、当該信号を基地局ベースバンド部１２３に送る。また、基地局通信部１２１は、基地局ベースバンド部１２３からの信号に対しアップコンバート及び増幅等を行い、送信信号を生成する。そして、基地局通信部１２１は、アンテナを介して当該送信信号を通信端末１０１に送信する。
【００２８】
また、基地局通信部１２１は、有線によりネットワーク１０５に接続されることにより、他の基地局とデータを送受信するものでもある。なお、図３においては、基地局通信部１２１を一つの機能ブロックとして表現しているが、本発明は、通信端末１０１との無線通信及びネットワーク１０５との有線通信の双方の機能を有する１つのハードウェアによって基地局通信部１２１を実現することに限定されるものではない。例えば、基地局通信部１２１を有線通信及び無線通信の用途に応じた別個のハードウェアにより実現することもできる。
【００２９】
基地局ベースバンド部１２３は、基地局通信部１２１からの受信信号に対してＡＤ変換や高速フーリエ変換などを行うことにより、受信信号を復調し、ベースバンド信号を取り出す。そして、基地局ベースバンド部１２３は、ベースバンド信号を基地局制御部１２７に送る。また、基地局ベースバンド部１２３は、基地局制御部１２７からのベースバンド信号に対して逆高速フーリエ変換やＤＡ変換などを行うことにより、ベースバンド信号を変調する。そして、基地局ベースバンド部１２３は、変調されたベースバンド信号を基地局通信部１２１に送る。
【００３０】
基地局記憶部１２５は、基地局１０３に位置登録を行っている通信端末に関するデータ（第２データ）等を記憶するものであり、ワークメモリ等としても機能する。通信端末に関するデータとは、基地局１０３に位置登録を行っている通信端末を一意に特定できるデータであり、例えば、通信端末の電話番号や識別番号（ＩＤ）である。
【００３１】
ここで、位置登録について説明する。基地局１０３は、自局が位置するエリア（例えば、ＰＨＳでは、ページングエリア）の情報を送信する。そして、通信端末１０１は、電源が入り、当該エリア情報を受信した場合や、エリア情報の受信によりエリア間の移動を検出した場合、通信端末１０１から最も近い基地局１０３に位置登録要求を示す無線信号を送信する。すると、基地局１０３は、位置登録要求を送信した通信端末１０１の電話番号とエリア情報とを対応付けて基地局記憶部１２５に記憶させる。そして、基地局１０３は、位置登録要求に対する応答を示す無線信号を通信端末１０１に送信することによって、通信端末１０１に位置登録の完了を通知する。このようにして、基地局１０３において、通信端末１０１の位置登録が行われる。
【００３２】
基地局制御部１２７は、基地局１０３の各機能ブロックをはじめとして基地局１０３の全体を制御及び管理している。基地局制御部１２７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。基地局制御部１２７が行う処理については、後述の図４の説明にて詳述する。
【００３３】
続いて、図４を用いて、通信端末１０１及び基地局１０３の処理について説明する。図４は、本発明の一実施形態に係る通信端末と基地局との間の信号のやりとりを示すシーケンス図である。なお、通信端末１０１−１、１０１−２及び１０１−３に関する機能ブロックの参照符号には、図２に示した通信端末１０１の各機能ブロックに関する参照符号に１、２及び３をそれぞれ付して説明する。また、基地局１０３−１に関する機能ブロックの参照符号には、図３に示した基地局１０３の各機能ブロックに関する参照符号に１を付して説明する。
【００３４】
通信端末１０１−２が基地局１０３−１の位置するエリア内に存在する場合、通信端末制御部１１７−２は、位置登録要求を送信するように通信端末ベースバンド部１１３−２及び通信端末通信部１１１−２を制御する（図４の１）。また、同様に、通信端末１０１−３が基地局１０３−１の位置するエリア内に存在する場合、通信端末制御部１１７−３は、位置登録要求を送信するように通信端末ベースバンド部１１３−３及び通信端末通信部１１１−３を制御する（図４の１）。なお、通信端末１０１−４は、基地局１０３−２に位置登録を要求し、基地局１０３−２は、通信端末１０１−４の位置登録を行うとする。
【００３５】
すると、基地局１０３−１の基地局通信部１２１−１は、通信端末１０１−２及び１０１−３からの位置登録要求を受信し、基地局制御部１２７−１は、通信端末１０１−２及び１０１−３に関するデータ（位置登録端末データ）を基地局記憶部１２５−１に記憶させる（図４の２）。以下、本実施形態では、位置登録端末データ（第２データ）は、通信端末１０１−２及び１０１−３の電話番号であるとする。
【００３６】
その後、ネットワーク１０５で通信異常が発生したとする。通信異常とは、基地局１０３−１がネットワーク１０５を介して他の基地局１０３−２に接続できない状況であり、例えば通信障害である。通信障害とは、機器の故障やプログラムの暴走等により生じるものである。通信異常が発生すると、基地局制御部１２７−１は、ネットワーク１０５へのデータ転送時のパケット損失等から、ネットワーク１０５における通信異常の発生を検出する（図４の３）。
【００３７】
続いて、通信端末１０１−１が基地局１０３−１の位置するエリア内に存在するようになったとする。すると、通信端末制御部１１７−１は、位置登録要求を送信するように通信端末ベースバンド部１１３−１及び通信端末通信部１１１−１を制御する（図４の４）。通信端末１０１−１が基地局１０３−１に位置登録されると、通信端末１０１−１は、基地局１０３−２に位置登録されている通信端末１０１−４に発信を試みても、通信端末１０１−４と通信することはできない。これは、通信異常の発生により、基地局１０３−１と基地局１０３−２との間のネットワーク１０５を介する回線を確立できないためである。また、通信端末１０１−１は、自端末と同じ基地局に位置登録されている通信端末とは通信できる。これは、通信端末間で、ネットワーク１０５を介さない回線を確立できるためである。よって、通信端末１０１−１は、通信端末１０１−２や１０１−３とは通信できることになる。
【００３８】
基地局１０３−１の基地局通信部１２１−１が通信端末１０１−１から位置登録要求を受信すると、基地局制御部１２７−１は、通信異常の発生を示す情報を通信端末１０１−１に送信するように基地局ベースバンド部１２３−１及び基地局通信部１２１−１を制御する（図４の５）。なお、基地局制御部１２７−１は、通信異常の発生を示す情報を位置登録要求の応答に含めて基地局通信部１２１−１に送信させることができる。また、基地局１０３−１は、通信異常の発生を示す情報を、位置登録要求の応答に含めずに、ＳＭＳ（Short Message Service）等の他の通信サービスの利用により、通信端末１０１−１に送信することもできる。
【００３９】
図４の５の処理において、基地局制御部１２７−１は、通信異常の発生を示す情報に、通信異常の影響を受けずに通信可能な番号体系を含めることができる。番号体系とは、通信サービスを特定できる固有情報であり、例えば、携帯電話番号における「０８０」及び「０９０」である。通信異常の影響を受けずに通信可能な番号体系とは、基地局１０３−１がネットワーク１０５を介さずに接続できる通信端末の番号体系である。例えば、基地局１０３−１が携帯電話用の基地局である場合、通信可能な番号体系は、「０８０」及び「０９０」である。また、基地局１０３−１が携帯電話及びＰＨＳの双方のシステムに対応するデュアルモード基地局である場合、通信可能な番号体系は、「０８０」、「０９０」及び「０７０」となる。
【００４０】
通信端末１０１−１の通信端末通信部１１１−１が通信異常の発生を示す情報を受信すると、通信端末制御部１１７−１は、通信異常の発生を示す情報を表示部１１６−１に表示させる（図４の６）。これにより、通信端末１０１−１は、当該端末のユーザに通信異常の発生を通知する。通信異常の発生を示す情報の表示とは、例えば、「通信異常発生」との文字列を表示部１１６−１が表示することにより実現される。また、通信異常の発生を示す情報に通信可能な番号体系が含まれている場合、通信端末制御部１１７−１は、この番号体系の情報も表示部１１６−１に表示することができる。例えば、通信端末制御部１１７−１は、「通信異常発生、通信可能な番号体系は０９０」と表示することができる。
【００４１】
続いて、通信端末制御部１１７−１は、通信端末記憶部１１５−１に記憶されている他の通信端末に関するデータ（第１データ）を取り出す。本実施形態では、他の通信端末に関するデータとは、電話帳のデータ（電話帳データ）であり、この電話帳データは、通信端末１０１−２及び１０１−４の電話番号の情報を含んでいるとする。
【００４２】
そして、通信端末制御部１１７−１は、電話帳データを基地局１０３−１に送信するように通信端末ベースバンド部１１３−１及び通信端末通信部１１１−１を制御する（図４の７）。なお、本発明は、通信端末１０１−１が、通信異常の発生を認識した場合に、電話帳データを基地局１０３−１に送信することに限定されるものではない。例えば、通信端末１０１−１は、ネットワーク１０５に通信異常が発生していない場合に、定期的又は不定期的に電話帳を基地局１０３−１に送信することもできる。
【００４３】
基地局１０３−１の基地局通信部１２１−１が電話帳データを受信すると、基地局制御部１２７−１は、電話帳データを、当該電話帳データを送信した通信端末１０１−１の電話番号と対応付けて基地局記憶部１２５−１に記憶させる。
【００４４】
その後、基地局制御部１２７−１は、基地局記憶部１２５−１に記憶されている位置登録端末データと電話帳データとの共通部分（共通データ）を特定する（図４の８）。本実施形態では、位置登録端末データが通信端末１０１−２及び１０１−３の電話番号であり、電話帳データが通信端末１０１−２及び１０１−４の電話番号を含んでいるため、共通データは、通信端末１０１−２の電話番号である。
【００４５】
そして、基地局制御部１２７−１は、共通データを通信端末１０１−１に送信するように、基地局ベースバンド部１２３−１及び基地局通信部１２１−１を制御する（図４の９）。なお、基地局制御部１２７−１によって共通データとして送信されるものは、電話番号そのものに限定されるものではなく、例えば、当該電話番号を一意に特定できる識別タグのようなものでもよい。識別タグが電話番号よりもデータ量が小さい場合、基地局制御部１２７−１は、送信されるデータ量の削減を図ることができる。
【００４６】
通信端末１０１−１の通信端末通信部１１１−１が共通データを受信すると、通信端末制御部１１７−１は、共通データに基づいて発信処理を制限する（図４の１０）。つまり、通信端末制御部１１７−１は、共通データに関する他の通信端末１０１−２への発信処理のみを可能にする。通信端末１０１−１の発信処理は、通信端末１０１−１とユーザが望む発呼先との間の通信接続を確立するために必要な通信端末１０１−１の処理であり、例えば、基地局１０３−１への接続要求の送信である。
【００４７】
通信端末１０１−１のユーザが通信端末１０１−２との通信を望む場合、例えば、ユーザによって通信端末１０１−２の電話番号が選択され発信ボタンが押下された場合、通信端末制御部１１７−１は、発信処理を行い、基地局１０３−１を介して通信端末１０１−２と通信接続を確立する。また、通信端末１０１−１のユーザが通信端末１０１−４との通信を望んだとしても、通信端末制御部１１７−１は、通信端末１０１−４への発信処理を行わない。
【００４８】
通信端末制御部１１７−１は、発信不可能な発呼先に関する情報をユーザに通知することができる。例えば、通信端末制御部１１７−１は、電話帳において発信可能な電話番号と発信不可能な電話番号とが表示色の点で区別されるように、表示部１１６−１を制御することができる。例えば、通信端末制御部１１７−１は、発信可能な電話番号を黒色で表示し、発信不可能な電話番号を灰色で表示するように表示部１１６−１を制御することができる。これにより、ユーザは、発信不可能な電話番号を認識することができる。
【００４９】
このように本実施形態では、基地局１０３−１は、ネットワーク１０５における通信異常の発生を検出すると、通信端末１０１−１の電話帳データ（第１データ）と、自局に位置登録を行っている通信端末１０１−２及び１０１−３に関する位置登録端末データ（第２データ）とに共通する共通データを通信端末１０１−１に送信し、通信端末１０１−１は、共通データに関する他の通信端末１０１−２への発信処理のみを可能にする。つまり、通信端末１０１−１は、ネットワーク１０５における通信異常が発生すると、ネットワーク１０５を介さずに、基地局１０３−１のみを介して通信可能な通信端末１０１−２に対する発信処理のみを有効にする。これにより、ユーザがネットワーク１０５を介す必要がある通信端末１０１−４への発信を望んでも、通信端末１０１−１は発信処理を行わない。よって、通信接続の確立の失敗が予想される発信処理を予め無効にすることにより、無駄な発呼を抑制することができる。
【００５０】
また、発信処理が行われると、通信端末１０１−１と基地局１０３−１との間の無線チャネルが確立されるが、無駄な発信処理が行われないと、無駄な無線チャネルの確立も抑制できる。これにより、無駄な発信処理のために無線チャネルが使用されなくなるため、無線チャネルの利用効率を高めることができる。
【００５１】
更に、共通データの特定は、通信端末１０１−１ではなく基地局１０３−１により行われる。これにより、通信端末１０１−１とは関係のない通信端末、つまり本実施形態では通信端末１０１−１の電話帳に含まれない通信端末１０１−３に関する情報が、通信端末１０１−１に送信されることはない。これにより、基地局１０３−１に位置登録している通信端末１０１−３のプライバシーを保護することができる。
【００５２】
また、本実施形態では、基地局１０３−１は、通信異常の発生を示す情報を通信端末１０１−１に送信し、通信端末１０１−１は、当該情報を受信した場合にのみ、電話帳データを基地局１０３−１に送信することができる。通信端末１０１−１は、通信異常が発生していない場合には、電話帳データを送信しないため、ネットワーク正常時における通信負荷や無線チャネルの使用を抑えることができる。
【００５３】
また、本実施形態では、基地局１０３−１は、位置登録要求の応答前に通信異常の発生を検出していると、位置登録要求の応答に通信異常の発生を示す情報を含めて通信端末１０１−１に送信することができる。これにより、通信異常の発生を示す情報の送信のみのために無線チャネルを確保する必要がないため、無線チャネルの有効利用が図れる。
【００５４】
また、本実施形態では、通信端末１０１−１は、通信異常の発生を示す情報を表示部１１６−１に表示することによって、通信異常の発生をユーザに通知することができる。これにより、ユーザは、表示部１１６−１の表示から通信異常の発生を認識することができる。
【００５５】
また、本実施形態では、基地局１０３−１は、通信異常の発生を示す情報を通信端末１０１−１に送信する場合、当該情報に、通信異常の影響を受けずに通信可能な番号体系を含めることができる。これにより、通信端末１０１−１は、基地局１０３−１に位置登録されていれば通信できる他の通信端末を把握することができる。
【００５６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５７】
例えば、各部材、各手段、各ステップなどに含まれる機能などは論理的に矛盾しないように再配置可能であり、複数の手段やステップなどを１つに組み合わせたり、或いは分割したりすることが可能である。
【００５８】
上述の本発明の実施形態の説明においては、通信端末１０１−１は、他の通信端末に関するデータとして電話帳データを基地局１０３−１に送信するとしたが、本発明はこの態様に限定されるものではない。例えば、通信端末は、電話帳データ全てではなく、電話帳データの一部、つまり発呼先として望まれる電話番号群のみに限定して、基地局に送信することができる。例えば、通信端末は、警察や消防などの緊急連絡先に関する電話番号群のみを基地局に送信することができる。すると、通信端末は、基地局から受信する共通データから、この電話番号群の中で通信接続が可能な電話番号を特定することができる。通信端末から基地局に送信されるデータ量を削減することにより、データの送信時間の短縮化が図れ、通信端末は、効率よく所望の電話番号群から通信可能な電話番号を特定できる。
【００５９】
また、上述の本発明の実施形態の説明においては、基地局１０３−１は、電話帳データを受信したときに記憶されている位置登録端末データから共通データを特定するとしたが、本発明はこの態様に限定されるものではない。例えば、基地局が共通データを通信端末に送信後、新たな通信端末が当該基地局に位置登録を要求したとする。この新たな通信端末の電話番号が、既に受信された電話帳データに含まれている場合、基地局は、この電話帳データに対応付けられている通信端末に、新たな通信端末の電話番号を通知することができる。これにより、通信端末は、基地局に位置登録された通信端末の変化に伴い、新たに通信可能になった通信端末や、新たに通信不可能になった通信端末を把握することができる。
【００６０】
また、上述の本発明の実施形態の説明においては、通信端末１０１−１は、通信異常の発生を示す情報を表示部１１６−１に表示することにより、通信異常の発生をユーザに通知するとしたが、本発明はこの態様に限定されるものではない。例えば、通信端末が、スピーカ等の音出力部、又は発光ダイオード等の光出力部などを備える場合、通信端末は、通信異常の発生を示す情報に対応する音や光を出力することができる。これにより、通信端末は、通信異常の発生をユーザに通知することができる。
【符号の説明】
【００６１】
１００  通信システム
１０１−１、１０１−２、１０１−３、１０１−４  通信端末
１０３−１、１０３−２  基地局
１０５  ネットワーク
１１１  通信端末通信部
１１３  通信端末ベースバンド部
１１５  通信端末記憶部
１１６  表示部
１１７  通信端末制御部
１２１  基地局通信部
１２３  基地局ベースバンド部
１２５  基地局記憶部
１２７  基地局制御部
【図１】
2014003495.tif 000003
【図２】
2014003495.tif 000004
【図３】
2014003495.tif 000005
【図４】
2014003495.tif 000006